(57)【要約】【課題】  参加者のレース体験又は１日の様子を振り返るために提供するコンテンツの生成を容易にする。【解決手段】  コンテンツ生成装置は、レースを予想した予想情報又は前記レースに投票した投票情報と、前記レースの結果であるレース結果情報とを取得する取得部と、前記予想情報又は前記投票情報と、前記レース結果情報とを比較し、前記予想情報又は前記投票情報の的中判定をする判定部と、前記的中判定の結果に基づいてコンテンツに掲載する記事を選択する選択部と、を備える。【選択図】      図４
2016184383.tif 000002
【特許請求の範囲】
【請求項１】
レースを予想した予想情報又は前記レースに投票した投票情報と、前記レースの結果であるレース結果情報とを取得する取得部と、
前記予想情報又は前記投票情報と、前記レース結果情報とを比較し、前記予想情報又は前記投票情報の的中判定をする判定部と、
前記的中判定の結果に基づいてコンテンツに掲載する記事を選択する選択部と、
を備えるコンテンツ生成装置。
【請求項２】
前記選択部は、前記的中判定の結果と、所定のレース戦績ごとに設定された優先度を比較して前記記事を選択する、
請求項１記載のコンテンツ生成装置。
【請求項３】
前記選択部は、前記的中判定の結果のレース毎に前記優先度を設定し、設定された前記優先度を前記的中判定の結果の前記レース毎に、前記優先度の高低を比較して対象レースを抽出し、前記抽出した対象レースに関連する前記記事を選択する、
請求項２に記載のコンテンツ生成装置。
【請求項４】
前記的中判定の結果として、同一レースに複数の前記投票がある場合、前記投票の式別及び買い目毎に前記優先度を設定する、
請求項２又は３に記載のコンテンツ生成装置。
【請求項５】
前記選択部は、前記優先度の高低に応じて前記コンテンツに掲載する前記記事のサイズの大小を変える、
請求項２から４のいずれか１つに記載のコンテンツ生成装置。
【請求項６】
入力端末と、コンテンツ生成装置と、を備え、
前記入力端末は、
レースを予想した予想情報又は前記レースに投票した投票情報を入力する入力部と、
入力された前記予想情報又は前記投票情報を前記コンテンツ生成装置に送信する制御部と、を有し
前記コンテンツ生成装置は、
前記予想情報又は前記投票情報と、前記レースの結果であるレース結果情報とを取得する取得部と、
前記予想情報又は前記投票情報と、前記レース結果情報とを比較し、前記予想情報又は前記投票情報の的中判定をする判定部と、
前記的中判定の結果に基づいてコンテンツに掲載する記事を選択する選択部と、を有する、コンテンツ生成システム。
【請求項７】
参加者の画像の撮像時刻と前記参加者の前記予想又は前記投票が的中したレースの時刻とが所定条件を満たす場合に前記参加者の前記画像を前記記事に掲載する、
請求項６に記載のコンテンツ生成システム。
【請求項８】
前記レースの結果の発表後から所定の時間間隔の間に撮影された参加者の画像の中から、前記的中判定の結果に基づき的中した参加者の画像を抽出し、前記記事を掲載する、
請求項６に記載のコンテンツ生成システム。
【請求項９】
前記的中した参加者の画像は、前記的中判定の結果で前記レースに的中した参加者と、前記撮影された参加者の画像を予め登録された前記参加者の顔画像で照合して抽出する、
請求項８記載のコンテンツ生成システム。
【請求項１０】
レースを予想した予想情報又は前記レースに投票した投票情報と、前記レースの結果であるレース結果情報とを取得し、
前記予想情報又は前記投票情報と、前記レース結果情報とを比較し、前記予想情報又は前記投票情報の的中を判定し、
判定した結果に基づいてコンテンツに掲載する記事を選択する、
コンテンツ生成方法。
【請求項１１】
レースを予想した予想情報又は前記レースに投票した投票情報と、前記レースの結果であるレース結果情報とを取得し、
前記予想情報又は前記投票情報と、前記レース結果情報とを比較し、前記予想情報又は前記投票情報の的中を判定し、
判定した結果に基づいてコンテンツに掲載する記事を選択する、
ことをコンピュータに実行させる、コンテンツ生成プログラム。
【発明の詳細な説明】
【技術分野】
【０００１】
本発明は、参加者の体験をコンテンツとして生成する技術に関する。
【背景技術】
【０００２】
競馬などの公営競技は、仲間又は家族と共に開催場所を訪れてレース観戦を楽しむなど、幅広い層に受け入れられる娯楽の１つになっている。公営競技は１日に１０レース以上も開催されるため、レースを予想又は投票する参加者は、自身のレース体験、又は、一日の様子を思い出すことは容易ではない。公営競技への参加経験がない初心者であればなおさらである。
【０００３】
特許文献１には、会員が端末を用いて投票する投票システムが開示され、会員の投票成績を収集して会員に成績順位を配信する技術が記載されている。このシステムによれば、自身のレースの成績をデータとして知ることができる。
【０００４】
一方、インターネットの発達により、自らの体験をＳＮＳ（Social Networking Service）に投稿し、それを他のＳＮＳ利用者に閲覧させるサービスが実用化されている。非特許文献１では、自身の投稿に対して、その投稿を閲覧した者が付与した評価の合計数を指標として、年間の投稿記事をまとめる技術が記載されている。
【先行技術文献】
【特許文献】
【０００５】
【特許文献１】特開２００３−０７６８０８号公報
【非特許文献】
【０００６】
【非特許文献１】グローバルアストロラインズ株式会社、“自分新聞''、［online］、平成２６年、［平成２７年３月３日］、インターネット<http://gastrolines.co.jp/business/itsolution>
【発明の概要】
【発明が解決しようとする課題】
【０００７】
印象的な体験の記憶である思い出は、それに関わる画像又は文章により可視化された情報を体験者に与えることでその想起は容易になる。また、可視化された情報により、参加者は、友人と体験等を共有することが容易となる。しかし、参加者自身で、レース体験又は１日の様子をまとめることは手間がかかる。
【０００８】
一方、競技開催者は、参加者のレース体験又は当日の様子を画像や文章等で可視化した情報（コンテンツ）を参加者に提供することで、参加者にその日を振り返るきっかけを与え、再来場を促す契機となることが期待できる。さらに、参加者が友人と体験等の情報を共有することで、来場者の増加も期待できる。
【０００９】
しかし、参加者毎に体験等を可視化するコンテンツを作成することは容易ではない。
【００１０】
特許文献１は、自らの成績を知ることはできるが、単にレースの投票情報とその結果が示されているだけであり、一日における印象的な体験を想起させるものではない。
【００１１】
非特許文献１は、投稿を閲覧した者からの評価が無い、あるいは、自身が投稿記事を作成していない場合、投稿記事をまとめるコンテンツを作成することができない。例えば、１日の出来事に対して投稿記事を作成するための評価指標を１日で得ることは難しい。
【００１２】
このように、参加者のレース体験又は１日の様子を振り返るために提供するコンテンツの生成を容易にする技術が望まれている。
【課題を解決するための手段】
【００１３】
本発明の一態様であるコンテンツ生成装置は、レースを予想した予想情報又は前記レースに投票した投票情報と、前記レースの結果であるレース結果情報とを取得する取得部と、
前記予想情報又は前記投票情報と、前記レース結果情報とを比較し、前記予想情報又は前記投票情報の的中判定をする判定部と、
前記的中判定の結果に基づいてコンテンツに掲載する記事を選択する選択部と、を備える。
【００１４】
本発明の一態様であるコンテンツ生成方法は、レースを予想した予想情報又は前記レースに投票した投票情報と、前記レースの結果であるレース結果情報とを取得し、
前記予想情報又は前記投票情報と、前記レース結果情報とを比較し、前記予想情報又は前記投票情報の的中を判定し、
判定した結果に基づいてコンテンツに掲載する記事を選択する。
【００１５】
本発明の一態様であるコンテンツ生成プログラムは、レースを予想した予想情報又は前記レースに投票した投票情報と、前記レースの結果であるレース結果情報とを取得し、
前記予想情報又は前記投票情報と、前記レース結果情報とを比較し、前記予想情報又は前記投票情報の的中を判定し、
判定した結果に基づいてコンテンツに掲載する記事を選択する、
ことをコンピュータに実行させる。
【００１６】
本発明の一態様であるコンテンツ生成システムは、
入力端末と、撮影装置と、コンテンツ生成装置と、を備え、
前記入力端末は、
レースを予想した予想情報又は前記レースに投票した投票情報を入力する入力部と、
入力された前記予想情報又は前記投票情報を前記コンテンツ生成装置に送信する制御部と、を有し
前記コンテンツ生成装置は、前記予想情報又は前記投票情報と、前記レースの結果であるレース結果情報とを取得する取得部と、
前記予想情報又は前記投票情報と、前記レース結果情報とを比較し、前記予想情報又は前記投票情報の的中判定をする判定部と、
前記的中判定の結果に基づいてコンテンツに掲載する記事を選択する選択部と、を有する。
【発明の効果】
【００１７】
本発明は、参加者のレース体験又は１日の様子を振り返るために提供するコンテンツの生成を容易にする。
【図面の簡単な説明】
【００１８】
【図１】本発明は、第１の実施形態におけるコンテンツ生成システムの構成を示すブロック図である。
【図２】第１の実施形態における入力端末の構成を示すブロック図である。
【図３】第１の実施形態における撮影装置の構成を示すブロック図である。
【図４】第１の実施形態におけるコンテンツ生成装置の構成を示すブロック図である。
【図５】コンテンツ生成装置が取得した予想情報の一例を示すデータシートである。
【図６】コンテンツ生成装置が取得した投票情報の一例を示すデータシートである。
【図７】コンテンツ生成装置が取得した参加者画像の一例を示すデータシートである。
【図８】優先度データの一例を示すデータシートである。
【図９】予想に関する参加者レース戦績の一例を示すデータシートである。
【図１０】投票に関する参加者レース戦績の一例を示すデータシートである。
【図１１】第１の実施形態におけるコンテンツ生成装置の動作を示すフローチャートである。
【図１２】第１の実施形態におけるコンテンツ生成装置の取得処理の動作を示すフローチャートである。
【図１３】第１の実施形態におけるコンテンツ生成装置の判定処理の動作を示すフローチャートである。
【図１４】第１の実施形態におけるコンテンツ生成装置の選択処理の動作を示すフローチャートである。
【図１５】予想に関する参加者レース戦績に割当てられた優先度の一例を示すデータシートである。
【図１６】投票に関する参加者レース戦績に割当てられた優先度の一例を示すデータシートである。
【図１７】コンテンツ生成装置が生成するコンテンツのレイアウトの一例を示す概要図である。
【図１８】記事領域の例を示す概要図である。
【図１９】参加者レース戦績領域のレイアウトの一例を示す概要図である。
【図２０】選択部が生成したコンテンツの一例を示す概略図である。
【図２１】本発明の第２の実施形態におけるコンテンツ生成装置の構成を示すブロック図である。
【図２２】第１、２の実施形態におけるコンテンツ生成装置、入力端末、又は、撮影装置をコンピュータ装置で実現したハードウエア構成を示す図である。
【発明を実施するための形態】
【００１９】
以下、本発明の一形態であるコンテンツ生成システムを公営競技の競馬に適用した例で説明する。第１の実施形態におけるコンテンツ生成システム、及び、コンテンツ生成装置について、図面を用いて説明する。図１は、第１の実施形態におけるコンテンツ生成システム１０の構成を示すブロック図である。図１に示すように、コンテンツ生成システム１０は、コンテンツ生成装置２０、入力端末３０、撮影装置４０を備える。
【００２０】
＜入力端末＞
入力端末は、コンテンツ生成装置と接続され、入力された入力情報をコンテンツ生成装置に出力する機能を有する。図２は、第１実施形態における入力端末３０の構成を示すブロック図である。入力端末３０は、制御部３１、入力部３２、表示部３３を備える。入力部３２は、マウス、キーボード、タッチパネルのような入力装置を用いることができる。制御部３１は、表示部３３に画像情報を表示制御し、入力部３２で入力された入力情報をコンテンツ生成装置２０へ出力する。制御部３１は、通信部（図示せず）を介して外部の装置と各種情報を入出力することができる。通信部は有線又は無線の通信回路で構成される。入力端末３０は、記憶部（図示せず）を有し、入力部３２で入力された情報、又は、制御部３１で扱う情報を保持できる。入力端末３０は、例えば、タブレット端末を適用することができる。
【００２１】
入力端末３０に入力される入力情報とは、例えば、参加者名、グループ名、参加者ＩＤ（Identification）、グループＩＤを含む参加者情報、予想情報又は投票情報、コメント情報である。参加者とは、レースを予想する者又はレースに投票する者である。また、グループは複数の参加者の集まりである。
【００２２】
参加者ＩＤは、参加者を識別するための識別ＩＤであり、グループＩＤは、グループを識別するための識別ＩＤである。参加者ＩＤは、予め参加者に割り振られたＩＤでもよく、また、入力端末３０が、参加者名の入力等に伴い自動で付与してもよい。また、参加者ＩＤは、電子投票券購入システムの識別ＩＤであってもよい。参加者は、複数のグループに属してもよい。なお、本明細書における投票券の購入は電子投票券である場合を含む。
【００２３】
予想情報とは、レースで競走対象が１着になる可能性の順に参加者が競走対象の番号を１つ以上選択した情報である。例えば、参加者は、◎本命（1着になる可能性が最も高いと予想される競走対象）、○対抗（本命の次に１着になる可能性が高い競走対象）、△穴（ひょっとしたら１着になると予想される競走対象）に該当する競走対象を選択する。予想情報は、上記に限られるものではなく、競走対象に対する他の評価指標を適用してもよい。
【００２４】
また、投票情報とは、参加者が、レースに投票した情報であり、投票券の式別（種類）、及び、買い目である。買い目は、式別に対応する競走対象の番号の組合せである。例えば、式別が馬連の場合、買い目は、式別に対応する競走対象の番号「２」と「８」の２つとなる。なお、投票情報には、買い目の購入金額の情報を含んでもよい。購入金額の情報の入力は任意である。なお、予想情報は、購入した投票券の情報ではない点で投票情報と異なる。
【００２５】
コメント情報は、「混戦でむずかしい」、「１番人気から総流し」等のレースの感想コメントである。コメント情報は、入力端末３０に予め登録されている感想コメントを選択して入力してもよい。コメント情報の入力は任意である。なお、コメント情報に関連する入力機能は入力端末３０になくてもよい。
【００２６】
入力端末３０は、レース毎に参加者の予想情報又は投票情報等を入力部３２で受付ける。入力端末３０が参加者毎に割当てられていない場合は、参加者ＩＤを、予想情報又は投票情報の入力とともに入力される。入力端末３０の制御部３１は、少なくとも参加者ＩＤと、参加者ＩＤに紐づく予想情報又は投票情報をコンテンツ生成装置２０へ送信する。なお、開催中のレースのうち、予想情報、投票情報、又は、コメント情報等が入力端末３０に入力されないレースがあってもよい。その場合、入力端末３０からコンテンツ生成装置２０に当該情報は送信されない。
【００２７】
＜撮影装置＞
撮影装置は、コンテンツ生成装置に接続され、参加者を個別、又は、グループで撮影する機能を備える。撮影装置は、動画又は静止画を撮影することができる。図３は、第１の実施形態における撮影装置４０の構成を示すブロック図である。図３に示すように、撮影装置４０は、撮影部４１、撮影制御部４２を備える。
【００２８】
撮影部４１は、撮像素子を有するカメラから参加者の個別画像又はグループ画像を入力する機能を有する。例えば、撮像素子を有するカメラは、参加者の卓上に設置された卓上カメラ、あるいは、室内の壁又は天井に設置されたカメラを用いることができる。卓上カメラは、参加者の個別画像を撮影し、室内カメラは、複数の参加者を含むグループ画像を撮影するために用いる。撮像素子を有するカメラは、カメラ内に記憶素子を備えていてもよい。記憶素子は、撮像素子が撮影した動画又は静止画を一時的に保存する機能を有する。
【００２９】
撮影制御部４２は、撮影タイミングを制御する機能を有する。撮影タイミングの制御は、撮影部４１が入力する画像が静止画か動画によって異なる。静止画の場合、撮影制御部４２は、撮影部４１に静止画を出力するカメラのシャッタータイミングを制御することになる。また動画の場合は、撮影制御部４２は、撮影部４１が入力する動画のスナップショットを撮ることになる。撮影制御部４２は、外部からの撮影指示、あるいは、撮影制御部４２の判定によって撮影タイミングを制御する。
【００３０】
参加者を撮影するタイミングは、参加者の記憶に残るようなシーンが好ましい。撮影制御部４２は、レースにおけるイベント発生に合せて外部からの撮影指示を受付けて撮影部４１からの参加者画像を記憶部（図示せず）に記憶する。イベント発生による撮影タイミングの一例として、競争対象のゴール前後、レース結果（着順確定、配当確定）の発表後、又は、配当情報の発表後、アクシデント発生後（発走除外、出遅れ、競走中止）がある。
【００３１】
また、撮影制御部４２の判定による撮影タイミングは、音響情報、又は、画像認識情報の利用がある。音響情報の利用は、例えば、撮影装置に接続されたマイクに参加者の音声が入力され、参加者の音声が所定の音圧閾値を超えたときに、参加者の記憶に残るシーンであると判定して撮影制御部４２が撮影部４１からの参加者画像を記憶部に記憶することである。なお、カメラに記憶素子を備える場合、撮影制御部４２は、撮影部４１を介して、記憶素子に保存された動画又は静止画を記憶部に記憶させる機能を有してもよい。
【００３２】
画像認識情報の利用は、参加者による所定の動作を識別し、参加者の記憶に残るシーンであると判定して撮影制御部４２が撮影部４１からの参加者画像を記憶部に記憶することである。参加者による所定の動作は、例えば、参加者の表情（笑顔等）、参加者のポーズ（ガッツポーズ、Ｖサイン等）、撮影装置のカメラに向かって参加者が的中した投票券を向けることである。なお、参加者による所定の動作は、これに限られるものではなく他の動作であってもよい。また、撮影制御部４２が顔認証機能を有する場合は、顔認識による特徴量抽出を利用して参加者と参加者画像を対応付けしてもよい。
【００３３】
撮影制御部４２は、撮影された参加者の個別画像又はグループ画像を参加者画像としてコンテンツ生成装置２０に送信する。なお、撮影された参加者画像には撮影日又は撮影時間情報も含まれる。参加者画像に時間情報等を付与することで、後段の装置おける様々な処理に利用することができる。
【００３４】
撮影装置４０による参加者画像の送信の例を示す。撮影部４１で撮影された参加者画像に対して、撮影制御部４２は時間情報を付与し、顔認識機能によって参加者を特定する。続いて、撮影制御部４２は、参加者画像に参加者ＩＤを付与してコンテンツ生成装置２０に送信する。なお、撮影装置は、参加者ＩＤと参加者の顔認証の特徴量との対応情報を予め入手しているものとする。
【００３５】
撮影装置４０で撮影した参加者画像における参加者の特定は、撮影装置４０以外で実行してもよい。例えば、コンテンツ生成装置２０が顔認識機能を有し、参加者ＩＤと参加者の顔認証の特徴量との対応情報を保持していれば、参加者画像の参加者の特定は、コンテンツ生成装置２０によって実行してもよい。この場合、撮影装置４０は、参加者画像に時間情報を付与してコンテンツ生成装置２０へ送信するだけでよい。
【００３６】
＜コンテンツ生成装置＞
図４は、第１実施形態におけるコンテンツ生成装置２０の構成を示すブロック図である。図４示すようにコンテンツ生成装置２０は、取得部２１と、判定部２２と、選択部２３とを備える。また、コンテンツ生成装置２０には記憶装置２５が接続される。記憶装置２５は、コンテンツ生成装置２０が外部から取得した情報、及び、コンテンツ生成装置２０によって処理された情報を記憶する。記憶装置２５は、例えば、参加者情報、コメント情報、予想情報、投票情報、撮影データ、レース情報、参加者レース戦績、優先度データを記憶する。図４に示す記憶装置２５は、コンテンツ生成装置２０の外部に配置されているが、コンテンツ生成装置２０の内部に配置されてもよい。
【００３７】
参加者情報は、参加者名、参加者が属するグループ名を含み、参加者名と参加者ＩＤ、グループ名とグループＩＤが紐付されて記憶装置２５に登録される。
【００３８】
参加者レース戦績は、参加者が参加したレースの戦績であり、予想情報及び投票情報、並びに、予想結果情報、投票結果情報を含む。図５は、コンテンツ生成装置２０が入力端末３０から取得した予想情報の一例を示すデータシートである。図５の例では、参加者毎の予想情報として、９レースの本命◎、対向○、穴△に対応する競走対象番号が登録されている。また、図６は、コンテンツ生成装置２０が取得した投票情報の一例を示すデータシートである。図６の例では、投票情報として、参加者の９レースにおける式別とその式別に関連する買い目とその金額が登録されている。予想結果情報は、レース結果に基づく予想情報の的中、非的中を示す情報である。また、投票結果情報は、レース結果に基づく投票情報の的中、非的中を示す情報、配当情報、及び、購入金額に配当を乗算した払戻し情報である。参加者レース戦績は、参加者の参加者ＩＤに紐づけて記憶装置２５に登録される。
【００３９】
撮影データは、共用画像、及び、参加者画像を含む。図７は、コンテンツ生成装置２０が取得した参加者画像の一例を示すデータシートである。図７に示すように、レース毎に撮影装置から取得した参加者の個別画像及び複数の参加者の画像であるグループ画像が参加者画像として登録される。例えば、参加者の個別画像は、各参加者の顔画像であり、図７では、１レースの参加者ＩＤ「Ａ」として参加者画像「顔画像１」が登録されている。また、グループ画像は、複数の参加者が居る室内の画像であり、１レースの参加者ＩＤ「Ａ」として参加者画像「グループ画像１」が登録されている。参加者画像は、参加者の個別画像は参加者ＩＤに紐づけて、グループ画像は参加者ＩＤ又はグループＩＤに紐づけて記憶装置２５に登録される。共用画像は、レースに関連するシーンが撮影された撮影画像であり、例えば、競走対象のゴールシーン、又は、開催日の開催場所が撮影された撮影画像である。共用画像は、レースの主催者より提供される撮影画像であってもよい。
【００４０】
レース情報は、各レースの出走情報、発走時刻、会場、日程、あるいは、レース結果情報を含む。出走情報は、レースに出走する競走対象に関連する情報であり、競走対象の名称及びレースで競走対象に付与された競走対象の番号を含む（以降、競争対象番号と示す）。レース結果情報には、各レースにおける競走対象の着順情報、及び、配当情報が含まれる。
【００４１】
優先度データは、参加者がレースを予想又は投票したレースの中からコンテンツの記事を選択するためのデータである。優先度データは、所定のレース戦績ごとに優先度が設定されている。ここで、コンテンツとは、参加者に提供されるレースに関連する情報、及び、参加者に関連する情報を含む媒体である。レースに関連する情報には、レース情報、レースシーンの画像等が含まれる。参加者に関連する情報には、参加者の画像である参加者画像が含まれる。レースに関連する情報及び参加者に関連する情報は、コンテンツ生成装置により選択されてコンテンツの記事として掲載される。
【００４２】
図８は、優先度データの一例を示すデータシートである。図８に示す優先度データは、所定のレース戦績として、格付けレースのレース戦績と、非格付けレースのレース戦績とを含む。優先度は、所定のレース戦績毎に付与され、格付けレースの優先度は、非格付けレースの優先度よりも高く設定されている。また、図８に示すレース戦績における優先度は、的中が、非的中よりも優先度が高く設定されている。さらに、投票の的中（図８の「的中（投票）」）が、予想の的中（図８の「的中（予想）」）よりも優先度が高く設定されている。投票の的中（図８の「的中（投票）」）は、高額配当、万馬券、３連単、・・・、複勝のように、投票券の式別、配当金額又は払戻し金額を用いて優先度が設定されている。配当金額又は払戻し金額の高低で優先度の高低を設定してもよい。なお、格付けレースによる優先度は優先度データとして使わなくてもよい。
【００４３】
優先度データは、予めコンテンツ生成装置２０の記憶装置２５に登録されていてもよく、あるいは、コンテンツ生成装置２０の取得部２１を介して外部装置（図示せず）から取得してもよい。
【００４４】
次に、コンテンツ生成装置２０の各構成について説明する。
【００４５】
コンテンツ生成装置２０の取得部２１は、入力端末３０から予想情報又は投票情報を、外部装置からレース結果情報を取得する。外部装置には、入力端末、撮像端末、情報サーバー等が含まれる。取得部２１は取得する情報によって取得先となる外部装置を切り替える。なお、取得部２１は、必要に応じて優先度データ、参加者情報、コメント情報、撮影データ等のコンテンツを生成するための各種情報を取得する。また、取得部２１は、取得した各種情報を記憶装置２５に登録する。
【００４６】
コンテンツ生成装置２０の判定部２２は、取得した予想情報又は投票情報と取得したレース結果情報とを比較して予想情報又は投票情報の的中を判定する。判定部２２は、予想情報又は投票情報の的中を判定した結果を参加者レース戦績として記憶装置２５に記憶する。
【００４７】
図９、予想に関わる参加者レース戦績を示すデータシートである。図９に示す予想に関わる参加者レース戦績は、予想情報に加え、予想の的中、非的中を示す予想結果情報が追加されている。予想情報の的中、非的中の判定基準は任意に設定できる。図９に示す例は、判定基準として、レース結果情報における着順情報の３着以内に、予想情報の競走対象番号の少なくとも１つが該当している場合、的中と判定している。予想情報の的中、非的中の判定基準はこれに限られるものではなく、他の判定基準を用いてもよい。
【００４８】
図１０は、投票に関わる参加者レース戦績を示すデータシートである。図１０に示す投票に関わる参加者レース戦績は、投票情報に加え、投票の的中、非的中を示す投票結果情報が追加されている。また、投票に関わる参加者レース戦績には、投票の買い目の購入金額に配当金額（図示せず）を乗算した払戻し金額を情報として付与してもよい。投票結果情報は、投票情報とレース結果情報との比較により判定される。
【００４９】
次に、コンテンツ生成装置２０の選択部２３は、判定結果に基づいてコンテンツの記事を選択する。判定結果に基づくコンテンツの記事の選択の一例として、選択部２３は、参加者の予想情報又は投票情報が的中しているレースについて、当該レースの参加者画像を選択する。選択部２３が選択するコンテンツの記事には、参加者画像を含む撮影画像の他に、コンテンツの記事の見出し、又は、コンテンツの記事の文章を選択してもよい。
【００５０】
選択部２３による参加者画像の選択は、記憶装置２５に登録された参加者画像を含む撮影データから参加者ＩＤと当該レース番号に対応する画像を選択することで実行される。選択部２３は、参加者画像以外に記憶装置２５の撮影データから当該レースのレースシーンの画像等を選択してもよい。
【００５１】
コンテンツの記事の見出しを選択する場合、選択部２３は、的中しているレースに関連する見出しを選択する。レースの見出しは、例えば、レース名等である。この場合、記事の見出しとなる見出し情報が、取得部２１により予め外部装置から取得され、記憶装置２５に登録されていることが前提となる。また、選択部２３により、コンテンツの記事として、レース結果の解説等が含まれる文章が選択されてもよく、この場合も、記事の文書となる文章情報が、取得部２１により予め外部装置から取得され、記憶装置２５に登録されていることが前提となる。
【００５２】
上述のように、レースの予想又は投票の的中により記事にするレースを選択する場合、的中しているレースが多いときがある。このため、選択部２３は、的中判定の結果と、所定のレース戦績ごとに設定された優先度に基づいて参加者レース戦績におけるレースの中からコンテンツの記事対象となる対象レースを決定し、コンテンツの記事を選択する。
【００５３】
コンテンツの記事対象となる対象レースを決定するために、選択部２３は、参加者レース戦績と優先度データを比較して、参加者レース戦績のレース毎に当てはまる優先度を設定し、優先度の高低によりコンテンツの記事対象となる対象レースを決定する。そして、選択部２３は、決定された対象レースに関連する記事をコンテンツの記事として選択する。具体的には、選択部２３は、参加者レース戦績のレース毎に優先度を設定する。投票に関わる参加者レース戦績において同一レースで投票が複数ある場合は、同一レースの投票の式別及び買い目毎に優先度を設定し、レース毎に設定された優先度の高低で対象レースを決定する。なお、選択部２３による対象レースの決定の具体例は、コンテンツ生成装置２０の動作の説明と合わせて説明する。
【００５４】
所定のレース戦績は、格付けレースのレース戦績と、非格付けレースのレース戦績とを有し、格付けレースの優先度は、非格付けレースの優先度よりも高く設定されていてもよい。さらに、選択部は、優先度の高低に応じてコンテンツに掲載する記事のサイズの大小を変えてもよい。
【００５５】
次に、第１の実施形態におけるコンテンツ生成装置２０の動作について、図面を用いて説明する。図１１は、コンテンツ生成装置２０の動作を示すフローチャートである。図１１に示すように、コンテンツ生成装置２０は、取得処理により、レースを予想した予想情報又はレースに投票した投票情報と、レースの結果であるレース結果情報とを取得する（Ｓ１２）。続いて、コンテンツ生成装置２０は、判定処理により、予想情報又は投票情報とレース結果情報を比較して予想情報又は投票情報の的中を判定し（Ｓ１４）、選択処理により、的中判定の結果に基づいてコンテンツに掲載する記事を選択する（Ｓ１６）。以下に、各処理について詳細に説明する。
【００５６】
［取得処理］
コンテンツ生成装置２０の取得処理について説明する。図１２は、取得処理の一例を示すフローチャートである。コンテンツ生成装置２０の取得部２１は、入力端末３０から参加者の予想情報又は投票情報を取得する（Ｓ１２２）。さらに、取得部２１は、主催者によるレース結果の発表後、当該レースの競走対象の着順情報及び配当情報を有するレース結果情報を含むレース情報を、外部装置（図示せず）から取得する（Ｓ１２４）。
【００５７】
次のレースがある場合（Ｓ１２６のＹｅｓ）、取得部２１は、次のレースの参加者の予想情報又は投票情報を取得する（Ｓ１２２）。次のレースがない場合（Ｓ１２６のＮｏ）、取得部２１は、取得した予想情報又は投票情報、レース情報を記憶装置２５に記憶し、取得処理を終了する。
【００５８】
なお、予想情報又は投票情報、レース情報以外の撮影データ、優先度データ等のコンテンツを生成するための各種情報の取得は、ステップＳ１２４からＳ１２６で取得してもよく又はステップＳ１２２の前又はステップＳ１２６の後に取得してもよい。
【００５９】
［判定処理］
次に、コンテンツ生成装置２０の判定処理について説明する。図１３は、判定処理の一例を示すフローチャートである。予想情報の的中判定は、予想情報の的中、非的中の判定基準が任意に設定されるため、投票情報の的中判定と分けて判定する。はじめにコンテンツ生成装置２０の判定部２２は、取得した予想情報又は投票情報とレース結果情報を比較して予想情報の的中を判定し、予想情報の的中判定の結果を示す参加者レース戦績を生成する（Ｓ１４２）。例えば、判定基準として、レース結果情報における着順情報の３着以内に、予想情報の競走対象番号の少なくとも１つが該当している場合、的中と判定する。次に、判定部２２は、投票情報とレース結果情報を比較して投票情報の的中を判定し、投票情報の的中判定の結果を示す参加者レース戦績を生成する（Ｓ１４４）。投票情報の的中判定は、レース結果情報に該当する投票情報を有するか否かで判定する。
【００６０】
［選択処理］
次に、コンテンツ生成装置２０の選択処理について説明する。図１４は、選択処理の一例を示すフローチャートである。コンテンツ生成装置２０の選択部２３は、優先度データが取得されているか、記憶装置２５を確認する（Ｓ１６２）。優先度データがない場合（Ｓ１６２のＮｏ）、選択部２３は、的中結果が示される参加者レース戦績から、予想情報又は投票情報が的中しているレースをコンテンツに掲載する対象レースとして抽出する。さらに選択部２３は、対象レースに関連する記事を記憶装置２５から選択する（Ｓ１６４）。対象レースに関する記事の選択は、例えば、選択部２３は、記憶装置２５に登録された撮像データのうち、対象レースにおける参加者ＩＤに紐づいた顔画像を選択する。なお、選択部２３は、レース結果発表後の参加者の顔画像を選択することにより、レースの予想または投票が的中したときの参加者の表情を記事としてコンテンツに掲載することができる。参加者画像の選択については後段で更に説明する。また、選択部２３は、コンテンツの記事として、記事の見出し又は記事の文章を選択してもよい。その際は、記憶装置２５に記事の見出し情報又は文章情報が登録されていることが前提となる。
【００６１】
優先度データがある場合（Ｓ１６２のＹｅｓ）、選択部２３は、的中結果と優先度データからコンテンツに掲載する対象レースを抽出する（Ｓ１６８）。
ステップＳ１６８の処理の一例を以下に説明する。まず、選択部２３は、参加者レース戦績と優先度データとを比較し、参加者レース戦績のレース毎に優先度を設定する。
【００６２】
図１５は、予想に関わる参加者レース戦績に優先度が設定されたデータシートである。図１６は、投票に関わる参加者レース戦績に優先度が設定されたデータシートである。なお、図１５、図１６の優先度の設定は、図８の優先度データを用いている。図１６の参加者ＩＤ「Ａ」のように１つのレースで複数の投票が有る場合、各レースの投票毎（式別及び買い目毎）に優先度が設定される。
【００６３】
次に、選択部２３は、レース毎に設定された優先度を比較して対象レースを決定する。本実施形態の例では、優先度の値が小さいほど、コンテンツに載せる対象レースとしての優先度が高くなる設定となっている。例えば、図１５に示す予想に関する参加者レース戦績の例では、９レースにおける参加者ＩＤ「Ａ」の優先度の値は「１６」、図１６に示す投票に関する参加者レース戦績の例では、９レースにおける参加者ＩＤ「Ａ」の優先度の値は「８」と「１７」である。このため、参加者ＩＤ「Ａ」の９レースにおいて優先度が最も高いのは優先度の値「８」となる。さらに選択部２３は、参加者ごとに参加者レース戦績の１レースから１２レースについて優先度の値を比較し１レースから１２レースのうち、優先度が最も高くなるレースを対象レースとして抽出する。
【００６４】
（参加者画像の選択）
コンテンツ生成装置２０の選択部２３における参加者画像の選択について説明する。撮影装置が撮影する参加者画像のうち、参加者の記憶に残る画像をコンテンツに掲載することが望ましい。このため、参加者画像の選択方法の１つとして、参加者画像に含まれる時間情報を利用する。例えば、レース結果が発表された時刻から所定の時間（例えば１０分間）の間に撮影された参加者画像を抽出する。これにより参加者画像の量が削減でき予想又は投票が的中している参加者の参加者画像の選択がし易くなる。
【００６５】
時間情報で抽出された参加者画像から、的中している参加者の参加者画像を選択する手法として、例えば、的中情報を含む参加者レース戦績の参加者ＩＤと、参加者画像の参加者ＩＤを照合して選択することができる。また、抽出された参加者画像に参加者ＩＤが紐づいていない場合は、顔認証機能を用いることにより、予め登録された参加者の顔画像との比較を行う。これにより参加者を特定し、参加者の的中情報から予想又は投票が的中している参加者の参加者画像を選択することができる。
【００６６】
なお、顔認識機能により、そのときの参加者画像の参加者が笑顔であるかも識別でき、参加者にとって好ましい参加者画像を選択することが可能になる。なお、イベント発生時刻として、レース結果の発表時刻から所定の時間の他に、競走対象のゴール時刻から所定の時間を用いてもよい。
【００６７】
本実施形態の例では、以下のように実施する。まず、撮影装置４０が時間情報を含む参加者画像をコンテンツ生成装置に送信する。次に、コンテンツ生成装置２０の取得部２１が、撮影装置４０から当該時間情報を含む参加者画像を取得し、外部装置からレース結果発表から所定時間までの時刻情報を取得して記憶装置２５に登録する。次に、コンテンツ生成装置２０の選択部２３は、時刻情報を用いて、記憶装置２５に登録された参加者画像から時刻情報に該当する参加者画像を抽出する。更に選択部２３が顔認識機能を備える場合、予め登録された参加者の顔画像との比較により参加者を特定し、参加者の的中情報から、抽出された参加者画像からを予想又は投票が的中している参加者の参加者画像を選択することができる。
【００６８】
上述の例では、選択部２３に顔認識機能を有する例で説明したが、判定部２２に顔認識機能を持たせて、認識結果を記憶装置２５に登録してもよい。また顔認識部（図示せず）としてコンテンツ生成装置２０内に別構成を追加してもよい。
【００６９】
次に、コンテンツ生成装置２０の選択部２３は、選択された記事をコンテンツに掲載する。第１の実施形態のコンテンツ生成装置２０では、コンテンツ生成のためのレイアウトが用意され、コンテンツ生成装置２０の選択部２３は、レイアウトの各領域に関連する情報を掲載することでコンテンツを生成する。コンテンツのレイアウトの情報は、記憶装置２５に予め記憶されたものでもよく、取得部２１を介して外部から入手してもよい。
【００７０】
＜コンテンツのレイアウト＞
図１７は、コンテンツ生成装置２０が生成するコンテンツのレイアウトの一例を示す概要図である。図１７に示すコンテンツのレイアウトは、コンテンツ名称、コンテンツ発行日、記事領域、参加者コメント領域、参加者レース戦績領域、レース総括領域、広告領域で構成されている。
【００７１】
図１７に示す例では、記事領域はトップ記事とサブ記事に区画され、トップ記事には最も大きな記事領域が割当てられ、サブ記事にはトップ記事よりも小さな記事領域が割当てられる。図１８は、記事領域の例を示す概要図である。図１８に示すように記事領域は、記事情報を記載する領域である。記事情報は、記事の見出しとなる見出し情報、記事の画像となる画像情報、記事の文章となる文章情報で構成される。このため、記事領域も、見出し領域、画像領域、及び、文章領域で構成される。見出し領域は、記事の見出しを記載する領域である。画像領域は、記事に関連する画像を記載する領域であり、レースに関連する共用画像、又は、参加者画像が記載される。共用画像は主催者より提供される画像を用いてもよい。
【００７２】
文章領域は、記事に関連する文章を記載する領域であり、レース結果に関連する文章、が記載される。レース結果に関連する文章は、例えば、レース名、レース距離、出走数、１着、２着の競走対象の名称、競走タイム、及び、レースの短評を含む。レース結果に関連する文章は、主催者より提供される情報を用いてもよい。なお、文章領域には、当該レースに関連する参加者のコメント情報が記載されてもよい。
【００７３】
参加者コメント領域は、グループ内の参加者のコメント情報を記載する領域である。例えば、参加者コメント領域には、全レースが終了後、各参加者が登録した当日の感想等のコメント情報が記載される。選択部２３は、参加者の当日の感想を示すコメント情報を、記憶装置２５における当該コメント情報の登録状況に応じてコンテンツに記載する。
【００７４】
参加者レース戦績領域は、各レースにおける参加者の予想及び投票と、その結果を記載する領域である。図１９は、参加者レース戦績領域のレイアウトの一例を示す概要図である。図１９の例では、当日開催される１レース〜１２レースごとに区画され、１つのレース区画には、投票結果領域、予想結果領域、レース別画像領域が含まれる。
【００７５】
投票結果領域には、主に、投票情報と投票結果情報が記載される。投票結果情報に投票券の購入金額が登録され、投票が的中している場合は、その配当金額を含めてもよい。
【００７６】
予想結果領域には、予想情報と予想結果情報が記載される。予想結果領域には、予想した競走対象番号、競走対象の名称、着順が記載されてもよい。なお、参加者レース戦績領域には、レース毎に参加者が入力したコメント情報が記載されてもよい。
【００７７】
レース別画像領域には、レース毎のレースシーン画像、又は、レース毎に記憶された参加者画像が記載される。選択部２３は、参加者が参加したレース毎に記憶装置２５から参加者画像を任意に抽出し、コンテンツとして記載する。選択部２３は、レース毎に発走時間に応じて参加者画像を記憶装置から抽出してもよい。なお、参加者画像が記録されていないレースの場合、選択部２３は、当該レースの撮影データの共用画像を記憶装置２５から任意に抽出してコンテンツとして記載する。
【００７８】
レース総括領域は、参加者が予想又は投票したレースの結果を総括するレース総括を記載する領域である。レース総括は、参加者レース戦績の統括レポート、及び、他の参加者とのレース戦績の比較である。他の参加者は、グループ内の参加者でもよく、他のグループの参加者との比較でもよい。レース戦績の比較は、選択部２３が、参加者レース戦績における予想又は投票の的中数、又は、当日の配当金の合計額を比較して参加者の順位を決定する。レース総括の内容は、例えば、「１レースから１２レースのうち、Ａさんの予想の的中数は９つ、投票の的中数は、５つです。」、「グループ内での予想の的中数は３位、投票の的中数は１位です。」、「全参加者での予想の的中数は９位、投票の的中数は５位です。」とする。なお、レース戦績の比較は、選択部２３以外の構成で実行してもよい。
【００７９】
広告領域は、参加者への広告を記載する領域である。広告は、例えば、レースに関連する書籍の広告（販売先の案内含む）である。参加者毎に共通の広告を記載してもよく、あるいは、参加者毎に異なる広告を記載してもよい。また、グループ毎に異なる広告でもよい。コンテンツに広告を掲載する場合は、取得部２１が、広告となる広告情報を取得し、記憶装置２５に登録する。
【００８０】
なお、優先度データは、所定のレース戦績毎に設定された優先度だけではなく、所定のレース戦績毎に設定された記事情報が追加されていてもよい。図８の優先度データは、優先度の他に、記事情報（見出し情報）が追加されている例である。図８に示す見出し情報は、的中、非的中で見出しが分けられ、続いて、予想の的中、投票の的中で見出しが分けられている。さらに、投票の的中（的中（投票））は、高額配当、万馬券、３連単、・・・、複勝のように、投票券の式別、及び、配当金額又は払戻し金額の高低を反映した見出しになっている。
【００８１】
コンテンツ生成装置２０の選択部２３は、取得部２１が取得した優先度データに記事情報が追加されている場合、レース毎の優先度を比較して対象レースを決定するとともに、決定した対象レースのレース戦績毎に設定された記事情報を決定することができる。選択部２３は優先度データに追加された記事情報（見出し情報）を選択してコンテンツを生成することができる。優先度データには、所定のレース戦績毎に設定された広告情報が追加されていてもよい。例えば、優先度データのレース戦績の高額配当に対応する広告情報に金融商品又は貴金属商品の広告が設定されていてもよい。所定のレース戦績毎に設定された広告情報は、優先度データとは別に、取得部２１が取得されてもよい。
【００８２】
上述の説明では、レイアウトを用いてコンテンツを生成したが、レイアウトを用いずにコンテンツを生成してもよい。
【００８３】
（第１の実施形態の効果）
第１の実施形態のコンテンツ生成装置２０によれば、参加者のレース体験又は１日の様子を振り返るために提供するコンテンツの生成を容易にする。
その理由は、選択部２３が、所定のレース戦績に応じた記事情報に基づいて、対象レースにおける参加者レース戦績に対応する記事情報を選択し、対象レースに関するコンテンツの記事を生成するからである。また、コンテンツの記事対象となる対象レースは、所定のレース戦績に応じて優先度が定められた優先度データに基づいて決定されるため、参加者の印象に残るレースが選択されるからである。
【００８４】
また、第１の実施形態のコンテンツ生成システム１０によれば、参加者の記憶に残るようなシーンをコンテンツに記載することができる。その理由は、コンテンツ生成システム１０の撮影装置が、レースにおけるイベント発生に合せた外部からの撮影指示を受付けて参加者を撮影するからでる。あるいは、コンテンツ生成システム１０の撮影装置が、撮影装置に接続されたマイクで参加者の音声を入力し、参加者の音声が所定の音圧閾値を超えたときに参加者を撮影するからである。また、コンテンツ生成システム１０の撮影装置が、参加者による所定の動作（例えば、参加者による所定の動作は、参加者の表情、参加者のポーズ又は投票券を向ける）を画像認識し、参加者を撮影するからである。
【００８５】
（第２の実施形態）
本発明の第２の実施形態は、第１の実施形態のコンテンツ生成装置２０と比べて、編集部２４が追加されている点で相違する。以下の説明において、第１の実施形態の構成と同じ機能を有する構成は、同じ符号を付して詳細な説明を省略する。
【００８６】
図２１は、第２の実施形態におけるコンテンツ生成装置２０の構成を示すブロック図である。図２１に示すように、コンテンツ生成装置２０の編集部２４は、選択部２３によって生成されたコンテンツを編集する機能を備える。
【００８７】
編集部２４は、図２０に示す生成されたコンテンツのうち、記事領域、参加者コメント領域、参加者レース戦績領域の情報を記憶装置２５に登録された関連する他の情報に変更することができる。また、編集部２４は、コンテンツのレイアウト形式を変更することができる。図２０に示すレイアウト形式は、新聞形式であるが、雑誌形式に変更することもできる。レイアウト形式を変更する場合は、予め取得部２１にてレイアウト形式の情報を取得しておけばよい。
【００８８】
第２の実施形態によれば、参加者のレース体験又は１日の様子を振り返るために提供するコンテンツの生成が容易になる。その理由は、編集部２４により、参加者は、より自らの体験に近いと思われる情報でコンテンツを生成できるからである。
【００８９】
（ハードウエア構成）
図２２は、本発明の第１、２の実施形態におけるコンテンツ生成装置、入力端末、又は、撮影装置をコンピュータ装置で実現したハードウエア構成を示す図である。
【００９０】
図２２に示すように、コンテンツ生成装置、入力端末、又は撮影装置は、ＣＰＵ（Ｃｅｎｔｒａｌ  Ｐｒｏｃｅｓｓｉｎｇ  Ｕｎｉｔ）９１、ネットワーク接続用の通信Ｉ／Ｆ（通信インターフェース）９２、メモリ９３、及び、プログラムを格納するハードディスク等の記憶装置９４を含む。また、ＣＰＵは、システムバス９７を介して入力装置９５及び、出力装置９６に接続されている。
【００９１】
ＣＰＵ９１は、オペレーティングシステムを動作させて本発明の第１、２の実施形態に係るコンテンツ生成装置、入力端末、又は、撮影装置を制御する。またＣＰＵ９１は、例えば、ドライブ装置に装着された記録媒体からメモリ９３にプログラムやデータを読み出す。
【００９２】
また、ＣＰＵ９１は、例えば、各実施形態におけるコンテンツ生成装置、入力端末又は撮影装置に入力される情報信号を処理する機能を有し、プログラムに基づいて、コンテンツ生成装置の判定部、選択部、入力端末の制御部、又は、撮影装置の撮影制御部における機能処理を実行する。
【００９３】
記憶装置９４は、例えば、光ディスク、フレキシブルディスク、磁気光ディスク、外付けハードディスク、又は半導体メモリ等である。記憶装置９４の一部の記憶媒体は、不揮発性記憶装置であり、そこにプログラムを記憶する。また、プログラムは、通信網に接続されている。図示しない外部コンピュータからダウンロードされてもよい。
【００９４】
入力装置９５は、例えば、マウス、キーボード、内臓のキーボタン、カード取込口、又は、タッチパネルなどで実現され、入力操作に用いられる。
【００９５】
出力装置９６は、例えば、ディスプレイで実現され、ＣＰＵ９１により処理された情報等を出力して確認するために用いられる。
【００９６】
以上のように、本発明の各実施形態は、図２２に示されるハードウエア構成によって実現される。但し、コンテンツ生成装置、入力端末、又は、撮影装置が備える各部の実現手段は、特に限定されない。すなわち、コンテンツ生成装置、入力端末、又は、撮影装置は、物理的に結合した一つの装置により実現されてもよいし、物理的に分離した二つ以上の装置を有線又は無線で接続し、これら複数の装置により実現してもよい。
【００９７】
以上、実施形態（及び実施例）を参照して本願発明を説明したが、本願発明は上記実施形態（及び実施例）に限定されものではない。本願発明の構成や詳細には、本願発明のスコープ内で当業者が理解し得る様々な変更をすることができる。
【００９８】
上記、実施形態では、競馬を例に説明したがこれに限らず、競輪、競艇、又は、オートレースなど着順を決める競技全般に適用することができる。
【００９９】
上記の実施形態の一部又は全部は、以下の付記のように記載されうるが、以下には限られない。
【０１００】
（前記１）
レースを予想した予想情報又は前記レースに投票した投票情報と、前記レースの結果であるレース結果情報とを取得する取得部と、
前記予想情報又は前記投票情報と、前記レース結果情報とを比較し、前記予想情報又は前記投票情報の的中判定をする判定部と、
前記的中判定の結果に基づいてコンテンツに掲載する記事を選択する選択部と、
を備えるコンテンツ生成装置。
【０１０１】
（前記２）
前記選択部は、前記的中判定の結果と、所定のレース戦績ごとに設定された優先度を比較して前記記事を選択する、
前記１記載のコンテンツ生成装置。
【０１０２】
（前記３）
前記選択部は、前記的中判定の結果のレース毎に前記優先度を設定し、設定された前記優先度を前記的中判定の結果の前記レース毎に、優先度の高低を比較して対象レースを抽出し、前記抽出した対象レースに関連する前記記事を選択する、
前記２に記載のコンテンツ生成装置。
【０１０３】
（前記４）
前記的中判定の結果として、同一レースに複数の前記投票がある場合、前記投票の式別及び買い目毎に前記優先度を設定する、
前記２又は３に記載のコンテンツ生成装置。
【０１０４】
（前記５）
前記選択部は、前記優先度の高低に応じて前記コンテンツに掲載する前記記事のサイズの大小を変える、
前記２から４のいずれか１つに記載のコンテンツ生成装置。
【０１０５】
（付記６）
入力端末と、コンテンツ生成装置と、を備え、
前記入力端末は、
レースを予想した予想情報又は前記レースに投票した投票情報を入力する入力部と、
入力された前記予想情報又は前記投票情報を前記コンテンツ生成装置に送信する制御部と、を有し
前記コンテンツ生成装置は、
前記予想情報又は前記投票情報と、前記レースの結果であるレース結果情報とを取得する取得部と、
前記予想情報又は前記投票情報と、前記レース結果情報とを比較し、前記予想情報又は前記投票情報の的中判定をする判定部と、
前記的中判定の結果に基づいてコンテンツに掲載する記事を選択する選択部と、を有する、コンテンツ生成システム。
【０１０６】
（付記７）
参加者の画像の撮像時刻と前記参加者の前記予想又は前記投票が的中したレースの時刻とが所定条件を満たす場合に前記参加者の前記画像を前記記事に掲載する、
前記６に記載のコンテンツ生成システム。
【０１０７】
（付記８）
前記レース結果の発表後から所定の時間間隔の間に撮影された参加者の画像の中から、前記的中判定の結果に基づき的中した参加者の画像を抽出し、前記記事を掲載する、
付記６に記載のコンテンツ生成システム。
【０１０８】
（付記９）
前記的中した参加者の画像は、前記的中判定の結果で前記レースに的中した参加者と、前記撮影された参加者の画像を予め登録された前記参加者の顔画像で照合して抽出する、
付記８記載のコンテンツ生成システム。
【０１０９】
（付記１０）
レースを予想した予想情報又は前記レースに投票した投票情報と、前記レースの結果であるレース結果情報とを取得し、
前記予想情報又は前記投票情報と、前記レース結果情報とを比較し、前記予想情報又は前記投票情報の的中を判定し、
判定した結果に基づいてコンテンツに掲載する記事を選択する、
コンテンツ生成方法。
【０１１０】
（付記１１）
レースを予想した予想情報又は前記レースに投票した投票情報と、前記レースの結果であるレース結果情報とを取得し、
前記予想情報又は前記投票情報と、前記レース結果情報とを比較し、前記予想情報又は前記投票情報の的中を判定し、
判定した結果に基づいてコンテンツに掲載する記事を選択する、
ことをコンピュータに実行させる、コンテンツ生成プログラム。
【０１１１】
（付記１２）
前記所定のレース戦績は、格付けレースのレース戦績と、非格付けレースのレース戦績とを有し、前記格付けレースの前記優先度は、前記非格付けレースの前記優先度よりも高く設定されている、
付記２に記載のコンテンツ生成装置。
【０１１２】
（付記１３）
前記記事は、前記記事の見出し、前記記事の画像又は前記記事の文章の少なくとも１つで構成される、
付記１から５のいずれか１つに記載のコンテンツ生成装置。
【０１１３】
（付記１４）
前記取得部は、
前記参加者のコメント情報と、前記参加者を撮影した参加者画像を含む撮影データの少なくとも１つを更に取得し、
前記選択部は、
取得した前記参加者のコメント情報、取得した前記撮影データから、前記レースに関連する前記撮影データ、前記コメント情報を選択し、選択された前記撮影データ及び前記参加者のコメント情報と、前記参加者レース戦績と、を用いて前記コンテンツを生成する、
付記１から５のいずれか１つに記載のコンテンツ生成装置。
【０１１４】
（付記１５）
前記レース毎に前記参加者を撮影した参加者画像を前記コンテンツ生成装置に送信する撮影制御部と、を有する撮影装置を更に備え、
前記撮影制御部は、前記レースにおけるイベント発生に合せた外部からの撮影指示を受付けて前記参加者を撮影する、
付記６に記載のコンテンツ生成システム。
【０１１５】
（付記１６）
前記レース毎に前記参加者を撮影した参加者画像を前記コンテンツ生成装置に送信する撮影制御部と、を有する撮影装置を更に備え、
前記撮影制御部は、前記撮影装置に接続されたマイクで前記参加者の音声を入力し、前記参加者の前記音声が所定の音圧閾値を超えたときに前記参加者を撮影する、
付記６に記載のコンテンツ生成システム。
【０１１６】
（付記１７）
前記レース毎に前記参加者を撮影した参加者画像を前記コンテンツ生成装置に送信する撮影制御部と、を有する撮影装置を更に備え、
前記撮影制御部は、前記参加者による所定の動作を画像認識し、前記参加者を撮影する、
付記６に記載のコンテンツ生成システム。
【０１１７】
（付記１８）
前記参加者による所定の動作は、前記参加者の表情、前記参加者のポーズ又は前記投票券を向けることである、付記１７に記載のコンテンツ生成システム。
【符号の説明】
【０１１８】
１０  コンテンツ生成システム
２０  コンテンツ生成装置
２１  取得部
２２  判定部
２３  選択部
２４  編集部
２５  記憶装置
３０  入力端末
３１  制御部
３２  入力部
３３  表示部
４０  撮影装置
４１  撮影部
４２  撮影制御部
９１  ＣＰＵ
９２  通信Ｉ／Ｆ（通信インターフェース）
９３  メモリ
９４  記憶装置
９５  入力装置
９６  出力装置
９７  システムバス
【図１】
2016184383.tif 000003
【図２】
2016184383.tif 000004
【図３】
2016184383.tif 000005
【図４】
2016184383.tif 000006
【図５】
2016184383.tif 000007
【図６】
2016184383.tif 000008
【図７】
2016184383.tif 000009
【図８】
2016184383.tif 000010
【図９】
2016184383.tif 000011
【図１０】
2016184383.tif 000012
【図１１】
2016184383.tif 000013
【図１２】
2016184383.tif 000014
【図１３】
2016184383.tif 000015
【図１４】
2016184383.tif 000016
【図１５】
2016184383.tif 000017
【図１６】
2016184383.tif 000018
【図１７】
2016184383.tif 000019
【図１８】
2016184383.tif 000020
【図１９】
2016184383.tif 000021
【図２０】
2016184383.tif 000022
【図２１】
2016184383.tif 000023
【図２２】
2016184383.tif 000024